(57)【要約】      （修正有）【課題】人体に毒性がなく、しかも安全性が極めて高く、耐久性に富む抗菌防臭性を有し、風合い、吸水性、染色堅牢度に優れた一般衣料材料、衣料衛生材、生活関連材などの素材の製造法。【解決手段】セルロース系布帛にキトサン酸性溶液を浸透させ、次いで塩基性溶液で処理して、布帛にキトサンを凝固再生することにより付着せしめ、更に多官能エポキシ化合物で架橋処理する方法で布帛にキトサンを定着させる。一方、コシを有するポリエステルにキトサンと炭素を含む繊維をまぜて、混紡するか混織して、一般衣料材料の新素材を製造する。コシを有するポリエステルを塩化ビニール樹脂製難燃性被覆層で覆ったものを交織してメッシュシートとし、表面に絵付と裏面は黒色にする。これにより体感温度は８度以上、上がらないし、メッシュの孔の大きさ調整で室内の明るさも自由自在に造りだすことができる。【選択図】なし【特許請求の範囲】
【請求項１】
キトサンを含むセルロース系繊維およびもしくは炭素を含む繊維およびもしくは合成繊維で成る事を特徴とする繊維系合成部材。
【請求項２】
合成繊維もしくは合成布帛もしくは合成建築部材である請求項１に記載の繊維系合成部材。
【請求項３】
先ずキトサン酸性溶液を浸透させ、次いで塩基性溶液で処理して、キトサンを凝固再生することにより付着させ、更に多官能エポキシ化合物で架橋処理して得た綿、麻、レーヨン、アセテートなどのセルロース系繊維と、合成繊維と炭素を含む繊維とを混紡するか混織し、もしくはキトサンを含む繊維と合成繊維と炭素を含む繊維を混紡するか混織することを特徴とする請求項１ないし２に記載の繊維系合成部材の製造法。
【請求項４】
合成繊維がガラス系、プラスチック系、アクリル系、炭素系、ポリアミド系、ポリ塩化ビニル系、ポリエステル系、ポリアクリロニトリル系、ポリエチレン系、ポリプロピレン系、ポリ青化ビニリデン系、ポリユリア系、ポリスチレン系、ポリウレタン系もしくはポリ塩化ビニリデン系合成繊維である請求項３記載の繊維系合成部材の製造法。
【請求項５】
炭素とキトサンと合成繊維を混ぜ合わせた複合力を有し、多くの有害物質を吸着消滅せしめると同時に人体に有益な複合的オゾンを発生させて人体が健康になれる素晴らしい環境を造り出す事の出来る新素材であり、劣化防止効果と耐久性能の増進効果等多機能効果を有し、合成繊維の新素材に関する、繊維系合成部材の製造法を特徴とする。
【請求項６】
請求項３および４の製造法によって得られたコシを有する繊維系合成部材を塩化ビニル樹脂製難燃性被覆層で覆って交織して網状に製織し、表面に絵付けする機械で絵付けし、裏面黒色にするこの構造であることだけが体感温度を８度以上、上げない製品を作る唯一の好適な製造法。
【請求項７】
請求項６の製品をそのまま使用して、まず窓ガラスの直射日光を防ぎ、さらに室内温度を適温に保ち、なお、その上に室内の好適な明るさの確保と同時に窓ガラスの全面にこの製品を取付け固定させる良い方法はアルミ窓の外枠に両面テープでしっかりと密着させる方法が、現在使用中の窓にも全部使用できる唯一の好適方法である。これが２素材で３０％省エネ住宅全部を超安価で造る製造法。
【請求項８】
写真機のネガフィルムから印画紙に焼き付けると同様に、パソコンでＣＧを作成し、請求項６と同様に絵付け出来る機械を使用して、実物のイミティションを作成し、実物とそっくりな下地を造り、そして下地の上に接着剤をぬり、その上にかぶせて密着させて製造する、実物をイミティションでの製造方法。
【請求項９】
地震でも台風でも壊れない構造は升の上部も底と同じ様にあまり厚くない板でふさぎ、サイコロと同じ様に６面の外面全部をあまり厚くない板で中には空気が入っている箱状態を接着剤で密着させ全部がくっついて、つながって、すべてが一体化させる事があまり厚くない板で作成上構造上一番強い事を特徴とする。
【請求項１０】
その製造には、森林のゴミである間伐材と建築廃材の木材をあまり厚くない板に加工し、６面の外面の箱状態を連続させて柱状態にする為、加工された板４枚で正方形の角材の柱状態にし、柱の内部の空洞部分は加工された板で平均間隔で仕切り板を入れて、すべて接着剤で密着させて、本物以上に強い柱を作成し、正方形の角材の柱として縦使用し全部を接着剤で密着させ一枚の厚い板状態にすると、それは柱と壁板を兼備することを特徴とする、一体形成された超強度新建材である。
【請求項１１】
正方形の角材の柱だけでなく、あまり厚くない板で有るので、上板と下板を重ねて一度にスチームで丸型に加工すると丸型の柱が出来る、すると丸型の柱を使用して、丸型と球形状の建物も可能であり、これで木造建築は家の形は何んでも造れます、請求項８を使用し超強度新建材に両面に同時に接着剤で貼り付けて造る事で、家の形や色までフリーなプレハブ化を実現することを特徴とする。
【請求項１２】
さらに全部材のすべてを再度接着剤で密着させる時さらにワンタッチ金具で同時に固定する方法の二重安全な方法でより完璧に近い耐震建築物を超安価で１００％工場生産仕上げで建築現場ではゴミ一つ発生させないことを特徴とする製造法。
【請求項１３】
すべての建築が完了後再度劣化防止効果と耐久性能の増進効果を付与すべく、床下まで外気に直接触れる外面全部をウレタン透明樹脂で真空に厚くコオティングをすることを特徴とする。
【請求項１４】
請求項９を全部使用して、建物の全部を厚い板状態で全部がくっついて、つながっている構造上一番強い利点を最大限活用し、最初から大広間を作成し、その上で、廊下側壁の厚みを二倍にして、その壁に３ヶ所のドアを造って、二倍の厚みの壁にちょうつがいで大広間の天井までの壁をドアと同じ様に２ヶ所に造り、一度に３つの子供部屋の個室と使用して、役目が終ると、二倍の厚みの壁に収納して、元の大広間に成るのです。最初から両方を兼備した高能率の多目的ホールの製造法。
【請求項１５】
請求項８を使用し事前に変更後完成品をＣＧで作成して準備しておいて、現在の家を下地として接着剤をぬり、その上に完成品を密着させれば完成終了である。簡単な私方で造った建築物なら着せ変え人形のごとく短い時間で造り変える製造法。
【請求項１６】
あくまで看板なので請求項８の様にすべてに本物を使用せず、下地は細くて軽い部材で実物の骨組みを造り、その上に完成したイミティションの素材を固定する方法で立体看板を制作するのである。下地を発泡スチロールで形成し、その上に完成したイミティションの素材を固定完成後その製品を細いワイヤーかピアノ線など少しはなれて見るといかにも空中に浮いた様に見えればその素材は限定せずしかし現実にヘリウムなど使用する事により立体空中看板を造り空中に浮かせる事も可能で有ることを特徴とする。実物のイミティションの立体看板と空中看板の製造法。
【請求項１７】
山と丘を丼型にくりぬいて、および谷間を擂り鉢型の形状を造り、逆ドーム型の空間を造り、そこに雨も風も台風もない楽園都市の未来都市を人工的に造り出すのである。一番広い頂上から網目状にワイヤロープを水平に張り巡らして、ロープの十文字点から真下にワイヤロープをたれ下げらせて、その真下にアルミと請求項６を使用して透明ガラスで出来上がっているドーム型の完成品の上部の十文字点の場所全部をたれさげたワイヤロープで固定して正しいドームを完成させる。この未来都市は今発明の全部を使用する事によってのみ、初めての夢の様な人工的な楽園都市およびスーパードームと未来都市の唯一の製造法。
【発明の詳細な説明】
【技術分野】
【０００１】
本発明はキトサンと炭素を含む繊維系合成部材およびその製造法に関し、炭素とキトサンとを有し複合力を有する繊維系部材およびその製造法に関する。
【背景技術】
【０００２】
従来、炭素を表面に露出させたセルロース系およびもしくは炭素を含む繊維で成る繊維系合成素材も提案されているが、一方でキトサンを含むセルロース系繊維で成る繊維系合成素材も提案されており、夫々、軽量性、高強度、濾過性、断熱性、保温性あるいは、生体組織への親和性、除菌、抗菌性などで優れた特性を発揮している。しかし炭素とキトサンとを共存させて特有の相乗効果を挙げる繊維系合成素材に関する技術思想は未だ如何なる先行技術にも記載はおろか示唆さえもされていない。
【０００３】
すなわち、前記特性両方とを兼備した合成素材は未だ出現しておらず、目的を達するためには両合成素材を併用しなければならず、その結果これらを建築物内、外装に用いる場合設計上の困難性を伴い補修メンテナンスについては少なくとも２種類の合成素材を蓄えておく必要があり、面倒であった。一方、濾過性、抗菌性等に優れ、軽量、強高度でフィルター素材に適し、かつ断熱性、保温性、防培徴除抗菌性等に優れた繊維系合成素材は、従来の航空機、車輌、船舶、建築物の内外装素材の中には見当たらなかった。そこで本発明者は鋭意検討の結果、炭素とキトサンの組み合わせにより、有効な機能性素材である繊維系合成部材およびその製造法に関する発明を完成した。
【特許文献１】特開２０００−１３６４３６
【特許文献２】特開平８−１３３４１
【発明の開示】
【発明が解決しようとする課題】
【０００４】
解決しようとする問題点は、炭素もキトサンも素材が単独で有るが為に、繊維関係では、今以上の力の有る、素晴らしい商品が造れなかったのである。単独のため力がなかった。
【課題を解決するための手段】
【０００５】
本発明は、炭素繊維もキトサン繊維も単独でも優れた特性を発揮していた、炭素とキトサンとを共存させて特有の相乗効果を挙げる繊維系合成素材にして、炭素とキトサンと合成繊維を混ぜ合わせた複合力を有し、多くの有害物質を吸着消滅せしめると同時に人体に、有益な複合的オゾンを発生させて人体が健康になれる素晴らしい環境を造り出す事の出来る新素材であり、劣化防止効果と耐久性能の増進効果等多機能効果を有し、合成繊維の新素材に関する、繊維系合成部材の製造法を最も主要な特徴とする。
【発明の効果】
【０００６】
炭素とキトサンとを共存させて相乗効果の複合力によって、多くの有害物質を吸着消滅する効果と新素材の衣類を着ているだけで、人体の皮膚呼吸から体内に有益なオゾンが入りこんで、薬を飲んだのと同じ効果が発生します。新素材は外用薬はり薬と同じ効果を生じます。劣化防止効果と耐久性能の増進効果などは新素材その物が効果を生じます。新素材が一番好適では有りますが、効能と効果を付与しないのであれば、一般の既製品でも好適に使用出来て、一般の既製品であるから非常に安く手に入ります。ポリエステルと塩化ビニール樹脂で難燃性に造ってある、防災一種のメッシュシートで有ります。メッシュシートの上に表面に絵付けする機械で絵付けし、裏面は黒にする。この構造であることが体感温度を８度以上、上げない製品を製造する唯一の好適な製造法で有り、体感温度を上げない効果を大きく生じさせる事が出来ます。
【発明を実施するための最良の形態】
【０００７】
先ずキトサン酸性溶液を浸透させ、次いで塩基性溶液で処理して、キトサンを凝固再生することにより付着させ、更に多官能エポキシ化合物で架橋処理して得た綿、麻、レーヨン、アセテートなどのセルロース系繊維と炭素を含む繊維とを混紡するか混織して、キトサンと炭素が付与されている一般衣料材料の新素材を製造する。なお、コシを有するポリエステルにキトサンと炭素をまぜて、コシを有する多機能効果を有し、多機能に使用が可能である新素材を製造することを特徴とする。
【０００８】
なお、炭素とキトサンの効能と効果を最大限に付与されている機能を重視した製品を造り出す場合には、染める溶液内に好適量最大にして使用することが不織布など染めるには、特にその効能と効果においては付与すべく力を引き立つ素晴らしい好適方法であり、最良で最大の重要点で有ります。
【０００９】
体感温度を８度以上、大幅に上げない新製品の製造法の定義、まず太陽の直射日光を大幅に防ぎきる、遮断力および遮光力が強い素材は金属で有り、しかも太陽光を出来る限り、反射力の大きい素材はステンレス板を表面に使用し、裏面は黒い炭素繊維をはり付けて、孔の大、小で体感温度を８度以上大幅に上げないことを自由自在に造り出し、および同時に室内の明るさも自由自在に造り出せる事を発明致しました。そして裏面を黒色の構造で完成させなければ、体感温度を超大幅に上げない大効果は生まれないのです。および発生してこないので有る。要は表面ではないのです、光が表面を通って、その後にどれだけ強力な影が造り出せるかとその一点が重要で有ります。その方法は裏面を黒にして、それを太陽光が通った時にだけ発生するのです。なお、この素材を使用しての商品化するにあたり、製造には溶けた透明ガラスの中の中央に真空で定着させて、ガラス板にする、ガラスの全面は単色では有るが、室内は好適な明るさを保持し、体感温度は８度以上、大幅に上げないことの機能を重視した製品で有り、今すでに別途準備し対応しているところで有る。
【００１０】
コシを有するポリエステルでこれを塩化ビニール樹脂製難燃性被覆層で覆ったものを交織して、合成繊維を網状に製織した、防災一種のメッシュシートにして、さらにその上に表面に絵付けする機械で絵付けし、裏面は黒色にする、この構造であることが体感温度を８度以上、上げない製品を製造する唯一の好適な製造法で有り、そして実物をイミティションでの唯一の好適な製造法でも有るが、素材としてはロールスクリーンの様な物、すべて万能使用うる素材はパンティーストッキングが小さい物まで造れるから一番好適で有る。およびコシを有する素材として、合成繊維としてポリエステルを用い、これを塩化ビニール樹脂製難燃性被覆層で覆ったものであるが、これ以外のプラスチック系を用いし、より高い不燃性を付与すべく例えばガラス繊維を混燃する等しても良い、また被覆についても例えばアクリル樹脂等も好適に使用し得る。
【００１１】
その製造には、森林のゴミである間伐材と建築廃材の木材をあまり厚くしない板に加工し、柱は仕切板を入れて、全部柱の中に空気をとじ込めて有るのは、ただで防音効果、防湿効果、けつろ防止など建築全部を生み出す為、すべてゴミを再利用するのは地球の無駄をせず、地球にやさしく、対応する為、ただの物を再利用して高い付加価値を生み出す事、すべての建築物を一体形成して、つながっているのは地震でもこわれない物体を造る為、外面全部をウレタン透明樹脂で真空に厚くコオティングする事は反永久的に物体を劣化防止と耐久性の保全する為、この様に私の発明はすべて、物事を早く、きれい、安く、強い、便利、省エネを又夢を実現化する為の発明で有る。
【実施例１】
【００１２】
セルロース系布帛へ固着させる、キトサンの量は布帛重量に対し、更に０.０５から０.５重量％が好適で有る。炭素を含む繊維は０.５から２重量％が好適で有る。この好適数値から上下ともはずれると加工や効果に重大な問題が発生し、最悪の場合すべてが失敗の可能性が生じる事もありうる。炭素を含む繊維の素材３０％、セルロース系布帛にキトサンをまぜ合わせた素材７０％で、一般衣料材料で下着やパジャマなど、ソフト衣料を造った成果は両方の複合力のおかげで今日までに無い素晴らしい、健康的になれる効果を発生するにいたったのである。なお炭素はすべての素材に適合性を有するので、その時使用する相手側に対する好適な素材に対応が可能で有る。製造する商品によっては、混紡と混織するにあたり好適数値について大変な変動と変化が生じる事があるのでその都度、しっかりした対応と注意が必要である。ここでの炭素の素材は活性炭、備長炭、竹炭、木炭だけでなく、炭素効果を有する素材であれば限定されるものではない。ここでのセルロース系繊維とは綿、レーヨン、麻、アセテートなどをいう。
【実施例２】
【００１３】
なお炭素とキトサンの効能と効果を最大限に付与されている、機能を重視した製品を造り出す場合には、染める溶液内に好適量最大にして使用することが、布織布など染めるには、特にその効能と効果においては付与すべく力をひき立つ素晴らしい好適方法であり、最良で最大の重要点で有ります。不織布の重量に対して、炭素の素材３.８重量％で有る。キトサンは０．５重量％で出来上がった製品は真っ黒であった。この方法が簡単でだれでも造れます。その効能と効果がその製品に素晴らしい力を発生致しますのでみな様その力たるやおどろきの連続でありあます。商品の見てくれにはだまされないで下さい。この商品は多機能に使用が可能で有ります。
【実施例３】
【００１４】
コシを有するポリエステルでこれを塩化ビニール樹脂製難燃性被覆層で覆ったものを交織して、合成繊維を網状に製織した防災一種のメッシュシートにして、さらにその上に表面に絵付けする機械で絵付けし、裏面は黒色にする。この構造であることが体感温度８度以上、上げない製品を製造する唯一の好適な製造法であるが、また本例は、外気温度３３℃のなかで糸と糸の空隙を形成する孔を縦横とも１ｍｍ、糸自体の幅を１.３ｍｍの上記製品を使用して試作実験をした結果、室内温度は２５℃まであげない事に成功しました。同条件下において使用する糸と糸の空隙を形成する孔をさらに小さくし、遮光率を最大に上げる事により、体感温度８度以上大幅に上げない事も確認致し、さらにこの結果から使用する素材と糸の太さ糸自体の幅と糸と糸の空隙を形成する孔を大と小にする事によって体感温度を大幅に上げないことを自由自在に造り出せる事を発明致しました。同製品も無地で実験した結果はすべてだめでありました。素材に遮光力の有する力が今以上にある素材の方がより好適である事も発見しました。
【実施例４】
【００１５】
まず、乗用車にのせる為、実験である製品は、実物の家を犬小屋の大きさにした。プロの大工さんで建具職人さん以上のうでのある人に、この製品造りをさせた。小さい家を造る事は、非常にむずかしく時間が必要であった。まず、間伐材をあまり厚くない板に加工して４枚で正方形の角材の状態にする為、２枚を２枚重ねた分だけ幅を小さく加工し、その中にきちんと入る仕切り板の正方形の形の板を同じ板で加工し、柱の上部より平均間隔で仕切り板を入れて、機具を使用して接着剤で密着させ固定して、本物以上に強い柱を作成し、正方形の角材の柱として縦使用し全部を接着剤で密着させ一枚の厚い板状態にすると、それは柱と壁板を兼備する、一体形成された超強度新建材の部材をを作成した。
【００１６】
そして、上板と下板を重ねて、一度にスチームで丸型に加工して丸型の柱を造った。それを紙風船と同じ方法で、丸型の柱を使用して、丸型と球形状の家の見本も造って見た。それで木造建築でも何でも造れる事を確認した。実物のイミティションを使用し、下地として、超強度新建材の部材に両面に同時に接着剤で密着させて、完成部材を造り、家の形や色までフリーなプレハブ化を実現した。
【００１７】
さらに、完成部材のすべてを、再度接着剤で密着させる時さらにワンタッチ金具で同時に固定する方法の二重安全な方法で、すべてが一体化させて、一体形成してより完璧に近い耐震建築物を完成させ、すべての建築が完了後再度劣化防止と耐久性の効果を付与すべく、床下まで外気に直接触れる外面全部をウレタン透明樹脂で真空で厚くコオティングをして、家を造った。
【００１８】
その結果、実験物体は７年後の現在でも劣化した現象は徴塵だに見られず、製造時点と同じ品質を保持している。これが耐久性についても半永久的に不変と認識しております。なお、同時にイミティションのその転写体の製品をコンクリート板に貼り付けて、真空状態の中で透明樹脂も上記と同じく厚くコオティングした結果、同じ条件下で同じ場所での実験であったので、すべて同じ結果で有り、下地には多くの部材が使用える事を確認できました。
【００１９】
なお、使用するあまり厚くない板の厚さも柱にする板の長さも、超強度新建材の部材のすべての使用の面で対応され、重量計算で算出された数値を保てる好適な厚さの板で柱に造れば良いので有り、出来る限り厚くない板を使用可能にした。無駄を極限まで省いた経済効率の良い、超安価の木造の建築を造り出す事が可能になったので有る。
【産業上の利用可能性】
【００２０】
下地を発泡スチロールを使用すると超軽い実物をイミティションで再現し製造致します。
【００２１】
新素材での機能を重視した、鮮度保持不織布、強力抗菌および強防臭の不織布おしぼり、衛生不織布マスク、強力抗菌ガーゼマスク、病院衣類全般、その他、和服、洋服すべての衣類が使用可能です。
【００２２】
本物のイミティションですべての物体の立像まで万能素材にパンティーストッキング
で小さな物まで造れる様に再現のイミティションまでコンピューターでえがける物すべて、過去、現在、未来まで可能で有る。
【００２３】
その製造には、森林のゴミである間伐材と建築廃材の木材をあまり厚くない板に加工し、６面の外面の箱状態を連続させて柱状態にする為、加工された板４枚で正方形の角材の柱状態にし、柱の内部の空洞部分は加工された板で柱の上部より横使用で平均間隔で仕切り板を入れて、すべて接着剤で密着させて、本物以上に強い柱を作成し、正方形の角材の柱として縦使用し全部を接着剤で密着させ一枚の厚い板状態にすると、それは柱と壁板を兼備することを特徴とする。一体形成された超強度新建材である。この様に柱の内部に仕切り板でくぎり中に空気をとじ込めて、軽い部材を造り出す構造は、超高層ビルの軽量化と大きい物体を軽量化するのに利用が可能で有る。
【００２４】
柱の内部に仕切り板でくぎり中に空気をとじ込めて、本物以上に強い柱を作成する。軽い部材を造り出す構造は、木船の底板をまじきり板を多く使用し、間隔をあまり広くしない事と底板とまじきり板とデッキがすべてつながって、すべて一体形成される事は、あまり厚くない板を多量に使用する事なく、大型の木造舟を造り出される構造はすべての物が一つに成る複合力を生み出し、Ｈ鋼と同じかそれに近い強度と耐久性を発生させるので有る。この木造舟の舟をさかさまに使用し、舟底が屋根でデッキが天井として使用すると、平屋の大型建築物が可能で有ります。それは一体形成された超強度新建材は点使用でなく、上部の面で対応する為とその部材は軽量で超強度に作成されているので可能になるので有る。
【００２５】
木造の出雲ドームは大きくて長い外材をはり合わせた集成材で造ってあるが、本発明柱は軽くて本物以上に強度が有り、多くはり合わせても軽いので有り又、合体させる事で複合力が大きく発生するし、縦横を合体させて一体形成したものと相乗効果が発生し、しっかりとした動かない固定した建築物に成る。又、温度が大幅に上がらない製品を使用するのでドーム内ではクーラーは必要ない省エネドームである。